(57)【要約】  基地局装置（４）は、異なる複数の通信回線を経由して基地局装置（４）の上位装置との間でそれぞれ通信を行う複数の通信部（４８、４９、５０）と、基地局装置（４）の状態に関する基地局情報を取得する基地局情報取得部（７３）と、基地局情報に応じて複数の通信回線の中のいずれかを選択する回線選択部（４６）と、移動局装置（５）のトラヒックの伝送に使用する回線を回線選択部（４６）により選択された回線に動的に切り替える回線切替部（４７）を備える。
2014147798.tif 000002
【特許請求の範囲】
【請求項１】
基地局装置であって、
異なる複数の通信回線を経由して前記基地局装置の上位装置との間でそれぞれ通信を行う複数の通信部と、
前記基地局装置の状態に関する基地局情報を取得する基地局情報取得部と、
前記基地局情報に応じて前記複数の通信回線の中のいずれかを選択する回線選択部と、
移動局装置のトラヒックの伝送に使用する回線を前記回線選択部により選択された回線に動的に切り替える回線切替部と、
を備えることを特徴とする基地局装置。
【請求項２】
前記複数の通信回線のいずれかの通信回線を介して前記基地局装置と通信可能な第２基地局装置を検出する基地局検出部を備え、
前記回線選択部は、前記第２基地局装置の検出結果に応じて前記いずれかの通信回線を選択する、
ことを特徴とする請求項１に記載の基地局装置。
【請求項３】
前記複数の通信回線のいずれかの通信回線を介して前記基地局装置と通信可能な第２基地局装置の状態に関する第２基地局情報を取得する第２基地局情報取得部を備え、
前記回線選択部は、前記基地局情報及び／又は前記第２基地局情報に応じて前記複数の通信回線の中のいずれかを選択する、
ことを特徴とする請求項１に記載の基地局装置。
【請求項４】
前記回線選択部は、前記第２基地局情報に応じて前記いずれかの通信回線を選択することを特徴とする請求項３に記載の基地局装置。
【請求項５】
前記回線選択部は、前記複数の通信回線の中から選択される異なる複数の回線を選択し、
前記回線選択部が選択した複数の回線で、同一の移動局装置のトラヒックを並列に伝送することを特徴とする請求項１〜４のいずれか一項に記載の基地局装置。
【請求項６】
前記複数の通信回線は、固定通信回線、移動通信無線アクセス方式の無線回線、及びアドホック回線のうちの２つを少なくとも含むことを特徴とする請求項１〜５のいずれか一項に記載の基地局装置。
【請求項７】
異なる複数の無線通信回線を経由して前記移動局装置との間でそれぞれ通信を行う複数の第２通信部と、
前記移動局装置の状態に関する移動局情報を取得する移動局情報取得部と、
前記基地局情報及び／又は前記移動局情報に応じて前記複数の無線通信回線の中のいずれかを選択する第２回線選択部と、
前記第２回線選択部により選択された回線に前記移動局装置との通信に使用する回線を動的に切り替える第２回線切替部と、
を備えることを特徴とする請求項１に記載の基地局装置。
【請求項８】
前記移動局情報は、前記移動局装置のユーザに関する情報及び前記移動局装置で動作するアプリケーションに関する情報のいずれかを含む請求項７に記載の基地局装置。
【請求項９】
前記第２回線選択部により選択された回線を指定する回線指定情報を前記移動局装置に送信する送信部を備えることを特徴とする請求項７又は８に記載の基地局装置。
【請求項１０】
前記第２回線選択部は、前記複数の無線通信回線の中から選択される異なる複数の回線を選択し、
前記前記回線選択部が選択した複数の回線により同一の移動局装置と並列に通信を行うことを特徴とする請求項７〜９のいずれか一項に記載の基地局装置。
【請求項１１】
前記複数の無線通信回線は、移動通信無線アクセス方式の無線回線と、移動通信無線アクセス方式以外の方式の無線回線のうちの２つを少なくとも含むことを特徴とする請求項７〜１０のいずれか一項に記載の基地局装置。
【請求項１２】
移動局装置であって、
異なる複数の無線通信回線を経由して基地局装置との間でそれぞれ通信を行う複数の通信部と、
前記移動局装置の状態に関する移動局情報を取得する移動局情報取得部と、
前記複数の通信部のいずれかにより前記移動局情報を送信し、前記移動局情報の送信に応答して前記基地局装置が送信する回線指定情報を前記複数の通信部のいずれかにより受信する回線指定情報取得部と、
前記回線指定情報により指定される回線に前記基地局装置との通信に使用する回線を動的に切り替える回線切替部と、
を備えることを特徴とする移動局装置。
【請求項１３】
前記移動局情報は、前記移動局装置のユーザに関する情報及び前記移動局装置で動作するアプリケーションに関する情報のいずれかを含む請求項１２に記載の移動局装置。
【請求項１４】
基地局装置の状態に関する基地局情報を取得し、
前記基地局情報に応じて、前記基地局装置の上位装置との間の異なる複数の通信回線の中のいずれかの回線を選択し、
選択された前記いずれかの回線に、移動局装置のトラヒックの伝送に使用する回線を動的に切り替える、
ことを特徴とする回線切替方法。
【請求項１５】
移動局装置の状態に関する移動局情報を取得し、
前記移動局情報を前記移動局装置から基地局装置に送信し、
前記移動局情報に応答して前記基地局装置から送信される、異なる複数の無線通信回線のいずれかを指定する回線指定情報を前記移動局装置で受信し、
前記移動局装置と前記基地局装置との通信に使用する回線を前記回線指定情報により指定される回線に動的に切り替える、
ことを特徴とする回線切替方法。
【発明の詳細な説明】
【技術分野】
【０００１】
本明細書で論じられる実施態様は、基地局装置、移動局装置及び回線切替方法に関する。
【背景技術】
【０００２】
移動局装置が接続するネットワークを遠隔から制御する技術としてＡＮＤＳＦ（Access Network Discovery and Selection Function）が知られている。【０００３】
関連技術として、モバイルノードが、通信相手との通信でやり取りされるフローの種類（例えばＷｅｂフロー、ビデオフロー、オーディオフロー、データフロー）に応じて、適切なパスを選択することが知られている。モバイルノードが参照するフロー情報は、ＡＮＤＳＦを用いてＡＮＤＳＦサーバから取得た情報でもよい。【０００４】
複数のフェムトセルがオーバレイネットワークを構築する非セキュアなアクセスネットワークとセキュアなコアネットワークとが通信用のセキュアトンネルで接続されるネットワークの呼制御システムが知られている。呼制御システムは、各フェムトセルに収容されたユーザ端末間にオーバレイネットワーク経由またはコアネットワーク経由の通信経路を確立する。フェムトセルは、ユーザ端末から受信した呼接続要求に基づいて、アプリケーションデータのセキュア通信を実現する手段がユーザ端末側で講じられているか否かを判定するセキュア判定手段を備える。フェムトセルは、呼制御メッセージの経路として、セキュア通信のための手段が講じられていなければコアネットワークを選択し、講じられていればオーバレイネットワーク及びコアネットワークのうち検索速度の早い方を選択する手段を備える。
【先行技術文献】
【特許文献】
【０００５】
【特許文献１】国際公開第２０１０／０６７５６９号パンフレット
【特許文献２】特開２０１１−１８２０３３号
【発明の概要】
【発明が解決しようとする課題】
【０００６】
基地局装置とその上位装置との間の通信効率が低下すると、移動局装置の通信スループットの低下の原因となる。本明細書に開示される装置又は方法は、基地局装置とその上位装置との間の通信効率を向上することを目的とする。
【課題を解決するための手段】
【０００７】
装置の一観点によれば基地局装置が与えられる。基地局装置は、異なる複数の通信回線を経由して基地局装置の上位装置との間でそれぞれ通信を行う複数の通信部と、基地局装置の状態に関する基地局情報を取得する基地局情報取得部と、基地局情報に応じて複数の通信回線の中のいずれかを選択する回線選択部と、移動局装置のトラヒックの伝送に使用する回線記回線選択部により選択された回線に動的に切り替える回線切替部を備える。【０００８】
他の装置の一観点によれば移動局装置が与えられる。移動局装置は、異なる複数の無線通信回線を経由して基地局装置との間でそれぞれ通信を行う複数の通信部と、移動局装置の状態に関する移動局情報を取得する移動局情報取得部と、複数の通信部のいずれかにより移動局情報を送信し、移動局情報の送信に応答して基地局装置が送信する回線指定情報を複数の通信部のいずれかにより受信する回線指定情報取得部と、回線指定情報により指定される回線に基地局装置との通信に使用する回線を動的に切り替える回線切替部を備える。
【発明の効果】
【０００９】
本明細書に開示される装置又は方法によれば、基地局装置とその上位装置との間の通信効率が向上する。【００１０】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１１】
【図１】移動通信システムの構成例の説明図である。
【図２】局舎装置の一例の機能構成図である。
【図３】フェムト基地局装置の一例の機能構成図である。
【図４】マクロ基地局装置の一例の機能構成図である。
【図５】移動局装置の一例の機能構成図である。
【図６】バックホール回線決定動作の第１例の説明図である。
【図７】バックホール回線決定動作の第１例の説明図である。
【図８】バックホール回線決定動作が行われる状態の一例の模式図である。
【図９】バックホール回線決定動作のシーケンスの一例の説明図である。
【図１０】バックホール回線決定動作の第２例の説明図である。
【図１１】バックホール回線決定動作の第２例の説明図である。
【図１２】バックホール回線決定動作の第３例の説明図である。
【図１３】バックホール回線決定動作の第３例の説明図である。
【図１４】無線アクセス回線決定動作の一例の説明図である。
【図１５】無線アクセス回線決定動作が行われる状態の一例の模式図である。
【図１６】無線アクセス回線決定動作のシーケンスの一例の説明図である。
【図１７】局舎装置の一例のハードウエア構成図である。
【図１８】フェムト基地局装置の一例のハードウエア構成図である。
【図１９】マクロ基地局装置の一例のハードウエア構成図である。
【図２０】移動局装置の一例のハードウエア構成図である。
【発明を実施するための形態】
【００１２】
＜１．通信システムの構成＞
以下、添付される図面を参照して好ましい実施例について説明する。図１は、移動通信システムの構成例の説明図である。移動通信システム１は、局舎装置２と、マクロ基地局装置３と、フェムト基地局装置４ａ〜４ｃと、移動局装置５ａ〜５ｅを備える。以下の説明及び添付図面において、フェムト基地局装置４ａ〜４ｃ及び移動局装置５ａ〜５ｅを、それぞれ総称して「フェムト基地局装置４」及び「移動局装置５」と表記することがある。また、基地局装置及び移動局装置を、それぞれ「基地局」及び「移動局」と表記することがある。
【００１３】
局舎装置２は、移動通信システム１の移動体通信事業者が使用する局舎に置かれる設備であり、移動通信システム１におけるマクロ基地局３及びフェムト基地局４の上位ノード装置の動作を実行する。局舎装置２では、所定の通信規格に従った移動通信プロトコルの終端処理と、移動局５の認証処理が実行される。例えば、移動通信システム１が３ＧＰＰ（3rd Generation Partnership Project）の規格上で規定されるＬＴＥ（Long term Evolution）に準拠する場合に、局舎装置２は、ＥＰＣ（Evolved Packet Core）ノード装置の動作を実行してよい。
【００１４】
局舎装置２は、局舎装置２が使用する通信回線のトラフィック情報に基づく所定条件に従って、移動局５が使用する通信回線を移動局５に指定する。例えば、局舎装置２は、ＡＮＤＳＦサーバの動作を実行し、ＡＮＤＳＦクライアントとして動作する移動局５は、使用する通信回線を局舎装置２からの指定に従って切り替えてもよい。
【００１５】
局舎装置２は、局舎装置２が使用する通信回線のトラフィック情報に基づく所定条件に従って、フェムト基地局４が、局舎装置２との通信に使用するバックホール回線をフェムト基地局４に指定する。例えば、局舎装置２は、ＡＮＤＳＦサーバの動作を実行し、ＡＮＤＳＦクライアントとして動作するフェムト基地局４は、使用するバックホール回線を局舎装置２からの指定に従って切り替えてもよい。以下の説明及び添付図面においてバックホールを「ＢＨ」と表記することがある。
【００１６】
局舎装置２の上記処理は、共通の情報処理装置で実行されてもよく、移動通信システム１上に分散配置された異なる情報処理装置で実行されてもよい。
【００１７】
マクロ基地局３は、マクロセルと呼ばれる比較的広い無線通信圏を形成し、マクロセル内の移動局５ａと、所定の通信規格に従う移動通信無線アクセス方式の無線通信を行う。移動通信無線アクセス方式は、例えば、ＷＣＤＭＡ（Wideband Code Division Multiple Access）（登録商標）、ＬＴＥ、ＷｉＭＡＸ（Worldwide Interoperability for Microwave Access）等であってよい。以下の説明では、移動局５が準拠する移動通信無線アクセス方式がＷＣＤＭＡ（登録商標）等の３Ｇ（3rd Generation）方式及びＬＴＥである例示を使用する。
【００１８】
移動通信無線アクセス方式の通信回線は、例えばデータ転送料は使用時間に応じた使用料金が課金される従量課金制の回線であってよい。例えば、マクロ基地局３と移動局５ａはＬＴＥ方式の通信回線２０ｃで通信をしてよい。また、マクロ基地局３と局舎装置２は固定回線１１ａを経由して通信を行う。
【００１９】
フェムト基地局４は、フェムトセルと呼ばれる比較的小規模な無線通信圏を形成し、フェムトセル内の移動局５と、所定の通信規格に従う移動通信無線アクセス方式の無線通信又は移動通信無線アクセス方式以外の方式の無線通信を行う。移動通信無線アクセス方式以外の方式は、例えば、無線ＬＡＮ（Local Area Network）や、近距離無線通信規格に従う方式であってよい。
【００２０】
無線ＬＡＮの通信規格の一例は、例えば、ＩＥＥＥ（The Institute of Electrical and Electronic Engineers）８０２．１１に規定されるＷｉＦｉ（ワイファイ、Wireless Fidelity）であってよい。近距離無線通信規格の一例は、例えば、ＩＥＥＥ  ８０２．１５．３ａに規定されるＵＷＢ（Ultra Wide Band）であってよい。以下の説明では、フェムト基地局４が移動局５との間の無線アクセス回線に使用される移動通信無線アクセス方式以外の方式が、ＷｉＦｉである例示を使用する。
【００２１】
以下の説明において、フェムト基地局４と移動局５との間の無線通信回線を「無線アクセス回線」と表記することがある。本実施例では、無線アクセス回線には、３Ｇ回線、ＬＴＥ回線及びＷｉＦｉ回線が含まれる。
【００２２】
例えば、フェムト基地局４ａと移動局５ｂとはＬＴＥ方式の通信回線２０ｂで通信をしてよい。フェムト基地局４ｃと移動局５ｃとは３Ｇ通信回線２０ａで通信をしてよい。フェムト基地局４ｃと移動局５ｄとはＷｉＦｉ回線２１ａで通信をしてよい。
【００２３】
フェムト基地局４と局舎装置２との間の通信に使用可能なＢＨ回線は、個々のフェムト基地局４の設置状態に応じて異なっていてよい。例えば、フェムト基地局４ａのＢＨ回線は、フェムト基地局４ａと局舎装置２とを接続する固定回線１１ｂと、移動通信無線アクセス方式の無線回線１２ｂと、アドホック回線１３ｂ及び１３ｃであってよい。
【００２４】
フェムト基地局４ｂのＢＨ回線は、フェムト基地局４ｂと局舎装置２とを接続する固定回線１１ｃと、アドホック回線１３ａ及び１３ｂであってよい。フェムト基地局４ｃと局舎装置２との間のＢＨ回線は、移動通信無線アクセス方式の無線回線１２ａとアドホック回線１３ａであってよい。
【００２５】
固定回線１１ｂ及び１１ｃは、例えばＦＴＴＨ（Fiber To The Home）やＡＤＳＬ（Asymmetric Digital Subscriber Line）を利用する回線を含んでいてよい。固定回線１１ｂ及び１１ｃは、定額課金制の固定回線であってもよく、従量課金制の固定回線であってもよく、これらを組み合わせた複数の回線でもよい。以下の説明において、固定回線１１ａ〜１１ｃを総称して「固定回線１１」と表記することがある。無線回線１２ａ及び１２ｂを総称して「無線回線１２」と表記することがある。アドホック回線１３ａ〜１３ｃを総称して「アドホック回線１３」と表記することがある。
【００２６】
アドホック回線１３は、無線ＬＡＮや近距離無線通信規格によるフェムト基地局４同士の無線回線である。移動通信システム１は、アドホック回線１３を経由してフェムト基地局４と通信を行う無線アクセスポイント６ａを備えてもよい。本実施例におけるアドホック回線１３は、ＷｉＦｉ回線であってよい。以下の説明及び添付図面において無線アクセスポイントを「ＡＰ」と表記することがある。
【００２７】
ＢＨ回線がアドホック回線１３である場合、フェムト基地局４は、アドホック回線１３を経由して交信する他のフェムト基地局４の固定回線１１を経由して局舎装置２と通信する。又は、フェムト基地局４は、アドホック回線１３を経由して交信するＡＰ６ａの固定回線１１ｄを経由して局舎装置２と通信する。
【００２８】
例えば、フェムト基地局４ｃと局舎装置２は、アドホック回線１３ａとフェムト基地局４ｂと固定回線１１ｃを介して通信してよい。また、例えば、フェムト基地局４ｂと局舎装置２は、アドホック回線１３ａとフェムト基地局４ｃと無線回線１２ａを介して通信してよい。また、例えば、基地局４ａと局舎装置２は、アドホック回線１３ｃとＡＰ６ａと固定回線１１ｄを介して通信してよい。なお、以下の説明では、アドホック回線のために使用する通信回線が、ＷｉＦｉ回線である例示を使用する。
【００２９】
移動局５ｅは、ＡＰ６ａとの間のＷｉＦｉ回線２１ｂと、ＡＰ６ａ及び局舎装置２の間の固定回線１１ｄとを経由して、局舎装置２との間で通信してもよい。
【００３０】
フェムト基地局４は、フェムト基地局４における負荷状態、実効スループット、使用可能ＢＨ回線等の、フェムト基地局４に関する情報を取得する。フェムト基地局４は、これら取得した情報を含んだポリシ情報を生成する。フェムト基地局４は、他のフェムト基地局４との間でポリシ情報を生成する。
【００３１】
移動局５は、移動局５のユーザ種別情報や、トラフィックを送信及び／又は受信するアプリケーション情報や、移動局５の位置等の、移動局５に関する情報を取得する。移動局５は、これら取得した情報を含んだポリシ情報を生成する。移動局５は、フェムト基地局４へとの間でポリシ情報を生成する。
【００３２】
フェムト基地局４は、フェムト基地局４が生成するポリシ情報に含まれる情報、他のフェムト基地局４及び／又は移動局５から受信したポリシ情報に基づいて、移動局５のトラヒックを伝送するＢＨ回線を動的に切り替える。また、フェムト基地局４は、フェムト基地局４が生成するポリシ情報に含まれる情報及び／又は移動局５から受信したポリシ情報に基づいて、移動局５とフェムト基地局４との間の無線アクセス回線を動的に指定する。例えば、フェムト基地局４は、ＡＮＤＳＦサーバとして動作し、ＡＮＤＳＦクライアントとして動作する移動局５は、使用する無線アクセス回線をフェムト基地局４からの指定に従って動的に切り替えてもよい。
【００３３】
＜２．機能構成＞
移動通信システム１の各構成要素の機能を説明する。図２は、局舎装置２の一例の機能構成図である。局舎装置２は、通信回線決定部３０と、コアネットワーク部３１と、固定回線インタフェース部３２と、無線処理部３３を備える。以下の説明及び添付図面において、コアネットワーク及びインタフェースをそれぞれ「ＣＮ」及び「ＩＦ」と表記することがある。
【００３４】
通信回線決定部３０は、移動局５が使用する通信回線及びフェムト基地局４と局舎装置２との間のＢＨ回線を決定する。例えば、通信回線決定部３０は、ＡＮＤＳＦサーバとして動作し、ＡＮＤＳＦクライアントとして動作する移動局５の使用通信回線と、ＡＮＤＳＦクライアントとして動作するフェムト基地局４との間のＢＨ回線を決定してよい。
【００３５】
通信回線決定部３０は、トラフィック情報取得部３４と、ポリシ生成部３５と、ポリシ通信部３６を備える。トラフィック情報取得部３４は、局舎装置２が使用する通信回線のトラフィック情報を取得する。ポリシ生成部３５は、トラフィック情報に基づく所定条件に従って移動局５の使用通信回線を決定する。
【００３６】
ポリシ生成部３５は、例えばマクロセル内の移動局５の使用通信回線として、移動局５が準拠する移動通信無線アクセス方式の無線回線である３Ｇ回線及びＬＴＥ回線のいずれかを決定する。ポリシ生成部３５は、例えば、フェムトセル内の移動局５の使用通信回線として、上記の無線アクセス回線のいずれかを決定する。ポリシ生成部３５は、移動局５の使用通信回線を指定する通信回線指定情報を生成する。
【００３７】
ポリシ生成部３５は、トラフィック情報に基づく所定条件に従って、局舎装置２とフェムト基地局４との間のＢＨ回線を決定する。ポリシ生成部３５は、ＢＨ回線を指定する通信回線指定情報を生成する。
【００３８】
ポリシ通信部３６は、通信回線指定情報を移動局５及びフェムト基地局４に送信する。移動局５は、使用する通信回線を、通信回線指定情報により指定される通信回線に切り替える。フェムト基地局４は、使用するＢＨ回線を通信回線指定情報により指定される回線に切り替える。
【００３９】
ＣＮ部３１は、移動通信システム１におけるマクロ基地局３及びフェムト基地局４の上位ノード装置の動作を実行する。ＣＮ部３１は、所定の通信規格に従った移動通信プロトコルの終端処理と、移動局５の認証処理を実行する。例えば、移動通信システム１がＬＴＥに準拠する場合に、ＣＮ部３１はＥＰＣノード装置であってよい。
【００４０】
固定回線ＩＦ部３２は、固定回線１１を経由してマクロ基地局３及びフェムト基地局４に接続するためのインタフェースである。無線処理部３３は、移動通信無線アクセス方式の無線回線１２を経由してフェムトセル基地局４と無線通信を行う。
【００４１】
図３は、フェムト基地局４の一例の機能構成図である。フェムト基地局４は、通信回線決定部４０と、ＢＨ通信部４１と、無線通信部４２を備える。
【００４２】
通信回線決定部４０は、フェムト基地局４と局舎装置２との間のＢＨ回線を決定する。また、通信回線決定部４０は、フェムト基地局４と移動局５との間の無線アクセス回線を決定する。例えば、通信回線決定部４０は、ＡＮＤＳＦサーバとして動作し、ＡＮＤＳＦクライアントとして動作する移動局５の使用通信回線とを決定してよい。
【００４３】
また、通信回線決定部４０は、局舎装置２から送信される通信回線指定情報を受信する。例えば、通信回線決定部４０は、ＡＮＤＳＦクライアントとして動作し、ＡＮＤＳＦサーバとして動作する局舎装置２から通信回線指定情報を受信して、使用するＢＨ回線を切り換える。通信回線決定部４０は、フェムトセル情報取得部４３と、ポリシ生成部４４と、ポリシ通信部４５と、回線決定部４６を備える。
【００４４】
フェムトセル情報取得部４３は、フェムト基地局４が有する、フェムト基地局４に関する情報を取得する。例えばフェムトセル情報取得部４３は、以下の情報（１）〜（１１）を取得してよい。
（１）フェムト基地局４の使用リソースに関する情報。例えば、フェムトセルに接続するユーザ数。
（２）各ＢＨ回線の使用リソース、無線アクセス回線の使用リソースに関する情報。例えば、回線使用率、無線アクセス回線の回線使用率。
（３）各ＢＨ回線の実行スループット値、無線アクセス回線の実効スループット値。
（４）周辺に位置する他のフェムト基地局４。
（５）フェムト基地局４の位置、他のフェムト基地局４の位置。
（６）接続中の移動局５のユーザ種別情報。
（７）接続中の移動局５においてトラフィックを送信及び／又は受信するアプリケーション情報。
（８）現在時刻。
（９）利用可能なＢＨ回線。
（１０）ＢＨ回線の課金種別。
（１１）ＡＰ情報。
【００４５】
なお、上記（３）記載の実効スループット値として、例えば無線通信が被る干渉やビット誤り率を考慮した実質的なスループットを使用してよい。また、上記（６）記載のユーザ種別情報は、例えば、ユーザ間の順序を指定する情報であってよい。
【００４６】
ユーザ種別情報は、例えば優先度を指定する情報であってよい。本実施例ではユーザ種別情報は、比較的優先度が高いユーザを指定する値「プレミアユーザ」及び比較的優先後が低いエコノミーを指定する値「エコノミ」を持つ変数であってよい。
【００４７】
上記（１１）記載のＡＰ情報は、例えば、アドホック回線１３を経由してフェムト基地局４が通信可能なＡＰの存在を示す情報である。
【００４８】
ポリシ生成部４４は、情報（１）〜（１１）を含んだポリシ情報を生成する。ポリシ通信部４５は、ポリシ生成部４４が生成したポリシ情報を他のフェムト基地局４へ送信する。また、ポリシ通信部４５は、他のフェムト基地局４で生成されたポリシ情報を他のフェムト基地局４から受信する。また、ポリシ通信部４５は、移動局５で生成されたポリシ情報を受信する。また、ポリシ通信部４５は、局舎装置２から送信される通信回線指定情報を受信する。
【００４９】
回線決定部４６は、ポリシ生成部４４が生成するポリシ情報に含まれる情報、他のフェムト基地局４及び／又は移動局５から受信したポリシ情報に基づいて、移動局５のトラヒックの伝送に使用するＢＨ回線を決定する。回線決定部４６がＢＨ回線を決定するＢＨ回線決定動作は、後述「３．１  ＢＨ回線決定動作」において更に説明する。
【００５０】
回線決定部４６は、フェムト基地局４が生成するポリシ情報に含まれる情報及び／又は移動局５から受信したポリシ情報に基づいて、移動局５とフェムト基地局４との間の無線アクセス回線を決定する。回線決定部４６が無線アクセス回線を決定する無線アクセス回線決定動作は、後述「３．２  無線アクセス回線決定動作」において更に説明する。
【００５１】
フェムトセル情報取得部４３による情報取得、ポリシ生成部４４によるポリシ情報の生成、ポリシ通信部４５によるポリシ情報の送信は、周期的に又はトリガ発生時に実行してよい。同様に回線決定部４６によるＢＨ回線決定動作及び無線アクセス回線決定動作は、周期的に又はトリガ発生時に実行してよい。
【００５２】
トリガは、例えばフェムト基地局４の状態に応じて発生してよい。例えば、フェムト基地局４の負荷の変化、フェムト基地局４の使用リソースの変化、フェムト基地局４のＢＨ回線の使用リソースの変化、又はフェムト基地局４の無線アクセス回線の使用リソースの変化が発生した場合にトリガが発生してもよい。新たな移動局５の検出時にトリガが発生してもよい。他のフェムト基地局４や移動局５からポリシ情報を受信した場合にトリガが発生してもよい。
【００５３】
ポリシ生成部４４は、回線決定部４６が決定した無線アクセス回線を指定する通信回線指定情報を生成する。ポリシ通信部４５は、ポリシ生成部４４が生成した通信回線指定情報を移動局５へ送信する。
【００５４】
ＢＨ通信部４１は、個々のフェムト基地局４が使用可能なＢＨ回線のいずれかを経由して局舎２との通信を行う。ＢＨ通信部４１は、ＢＨ回線切替部４７と、固定回線通信部４８と、移動通信部４９と、アドホック通信部５０を備える。
【００５５】
ＢＨ回線切替部４７は、移動局５のトラヒックを伝送するＢＨ回線を、局舎装置２から送信される通信回線指定情報に従って切り替える。また、ＢＨ回線切替部４７は、移動局５のトラヒックを伝送するＢＨ回線を、回線決定部４６が決定したＢＨ回線に動的に切り替える。
【００５６】
固定回線通信部４８は、移動局５のトラヒックを局舎装置２との間で固定回線１１を経由して伝送するための通信を行う。また、固定回線通信部４８は、固定回線１１に発生する回線障害を検出する。
【００５７】
移動通信部４９は、無線回線１２を経由して移動局５のトラヒックを局舎装置２との間で伝送する通信を行う。アドホック通信部５０は、アドホック回線１３を経由して移動局５のトラヒックを局舎装置２との間で伝送する通信を行う。
【００５８】
ＢＨ回線切替部４７は、固定回線通信部４８、移動通信部４９及びアドホック通信部５０のいずれを移動局５のトラヒックの伝送に使用するかを切り替えることにより、移動局５のトラヒックを伝送するＢＨ回線を切り替える。
【００５９】
無線通信部４２は、無線アクセス回線のいずれかを経由して、移動局５との通信を行う。無線通信部４２は、無線切替部５１と、３Ｇ通信部５２と、ＬＴＥ通信部５３と、ＷｉＦｉ通信部５４を備える。
【００６０】
無線切替部５１は、フェムト基地局４と移動局５との間の無線アクセス回線を、回線決定部４６が決定した無線アクセス回線に切り替える。３Ｇ通信部５２は、３Ｇの通信制御規則に基づいて、フェムト基地局４と移動局５と無線通信を行う。ＬＴＥ通信部５３は、ＬＴＥの通信制御規則に基づいて、フェムト基地局４と移動局５と無線通信を行う。
【００６１】
ＷｉＦｉ通信部５４は、ＷｉＦｉの通信制御規則に基づいて、フェムト基地局４と移動局５と無線通信を行う。また、ＷｉＦｉ通信部５４は、ＷｉＦｉの通信制御規則に基づいて、アドホック回線１３を経由するフェムト基地局４間の無線通信、及びアドホック回線１３を経由するフェムト基地局４とＡＰ６ａとの無線通信を行う。
【００６２】
ポリシ通信部４５がポリシ情報を送信する際に、ポリシ通信部４５は、送信対象のポリシ情報をＷｉＦｉ通信部５４にブロードキャスト送信させてよい。ＷｉＦｉ通信部５４は、他のフェムト基地局４からブロードキャスト送信されたポリシ情報を受信した場合、受信されたポリシ情報をポリシ通信部４５に渡してもよい。
【００６３】
無線切替部５１は、３Ｇ通信部５２、ＬＴＥ通信部５３及びＷｉＦｉ通信部５４のいずれを、フェムト基地局４と移動局５との間の無線アクセス回線に使用するかを切り替えることにより、フェムト基地局４と移動局５との間の無線アクセス回線を切り替える。
【００６４】
図４は、マクロ基地局３の一例の機能構成図である。マクロ基地局３は、固定回線通信部６０と、無線処理部６１を備える。固定回線通信部６０は、固定回線１１ａを経由して、移動局５のトラヒックを局舎装置２との間で伝送するための通信を行う。無線処理部６１は、移動局５との間で、所定の通信規格に従う移動通信無線アクセス方式の無線通信を行う。
【００６５】
図５は、移動局５の一例の機能構成図である。移動局５は、インターネットを経由した通信や、公衆回線網及び／又は移動体通信網を経由して音声やデジタルデータ等の通信を行う際に用いる通信装置である。移動局５は、ＡＮＤＳＦクライアントとして動作可能な通信装置であってよい。移動局５は、ＡＮＤＳＦサーバから送信されるポリシのような通信回線指定情報を受信して、無線アクセス回線を切り替えてよい。移動局５は、通信回線指定情報を受信した場合に、例えば無線通信の停止時や送信対象又は受信対象のコンテンツの切り替え時を検出し、これらのタイミングで無線アクセス回線を切り替えてもよい。
【００６６】
移動局５は、通信回線制御部７０と、無線処理部７１を備える。通信回線制御部７０は、局舎装置２から送信される通信回線指定情報に従って、移動局５とマクロ基地局３との間の無線通信の使用回線を設定する。また、通信回線制御部７０は、フェムト基地局４から送信される通信回線指定情報に従って、移動局５とフェムト基地局４との間の無線アクセス回線を動的に切り替える。
【００６７】
通信回線制御部７０は、移動局情報取得部７２と、ポリシ生成部７３と、ポリシ通信部７４を備える。
【００６８】
移動局情報取得部７２は、移動局５が有する、移動局５に関する情報を取得する。移動局情報取得部７２は、例えば、以下の情報（１）〜（６）を取得してよい。
（１）移動局５の位置。
（２）現在時刻。
（３）移動局５のユーザ種別情報。
（４）トラフィックを送信及び／又は受信するアプリケーション情報。
（５）使用可能な無線通信方式。
（６）現在使用中の無線通信回線。
【００６９】
なお、上記（３）記載のユーザ種別情報は、例えば、ユーザ間の順序を指定する情報であってよい。ユーザ種別情報は、例えば優先度を指定する情報であってよい。本実施例ではユーザ種別情報は、比較的優先度が高いユーザを指定する値「プレミアユーザ」及び比較的優先後が低いエコノミーを指定する値「エコノミ」を持つ変数であってよい。
【００７０】
上記（５）記載の無線通信方式は、移動局５が準拠する移動通信無線アクセス方式、及び移動局５が使用可能な移動通信無線アクセス方式以外の方式の無線通信方式であってよい。例えば本実施例では、上記（５）記載の無線通信方式は、３Ｇ方式、ＬＴＥ方式及びＷｉＦｉ方式である。
【００７１】
上記（６）記載の現在使用中の無線通信回線は、マクロセル内の移動局５が使用可能な移動通信無線アクセス方式の通信回線のいずれか、またはフェムトセル内の移動局５が使用可能な無線アクセス回線のいずれかである。例えば本実施例では、上記（６）記載の現在使用中の無線通信回線は、３Ｇ回線、ＬＴＥ回線及びＷｉＦｉ回線のいずれかである。
【００７２】
ポリシ生成部７３は、情報（１）〜（６）を含んだポリシ情報を生成する。ポリシ通信部７４は、ポリシ生成部４４が生成したポリシ情報をフェムト基地局４へ送信する。
【００７３】
移動局情報取得部７２による情報の取得、ポリシ生成部７３によるポリシ情報の生成、ポリシ通信部７４によるポリシ情報の送信は、周期的に又はトリガ発生時に実行してよい。
【００７４】
トリガは、例えば接続先のフェムト基地局４が変わった場合に発生してよい。例えば、フェムト基地局４からポリシ情報を受信した場合にトリガが発生してもよい。
【００７５】
また、ポリシ通信部７４は、局舎装置２及びフェムト基地局４から送信される通信回線指定情報を受信する。通信回線指定情報は、例えばＳＭＳ（Short Message Service）により局舎装置２及びフェムト基地局４から送信されてもよい。
【００７６】
無線処理部７１は、移動局５がマクロセル内に位置する場合に、移動局５が使用可能な移動通信無線アクセス方式の無線回線のいずれかを経由して、マクロ基地局３との通信を行う。無線処理部７１は、移動局５が使用可能な移動通信無線アクセス方式のそれぞれで通信を行う複数の通信部を備えていてよい。通信回線制御部７０は、マクロ基地局３との通信回線を、局舎装置２から送信される通信回線指定情報に従って設定する。
【００７７】
無線処理部７１は、移動局５がフェムトセル内に位置する場合に、移動局５とフェムト基地局４との間で使用可能な無線アクセス回線のいずれかを経由して、フェムト基地局４との通信を行う。通信回線制御部７０は、局舎装置２から送信される通信回線指定情報に従って、移動局５とフェムト基地局４との間の無線アクセス回線を設定する。通信回線制御部７０は、フェムト基地局４から送信される通信回線指定情報に従って、移動局５とフェムト基地局４との間の無線アクセス回線を動的に切り替える。
【００７８】
＜３．動作説明＞
次に、移動通信システム１の各構成要素の動作を説明する。
【００７９】
＜３．１  ＢＨ回線決定動作＞
図３に示す回線決定部４６は、ポリシ生成部４４が生成するポリシ情報に含まれる情報、他のフェムト基地局４及び／又は移動局５から受信したポリシ情報に基づいて、移動局５のトラヒックの伝送に使用するＢＨ回線を決定する。
【００８０】
このＢＨ回線決定動作において回線決定部４６は、例えば、他のフェムト基地局４のポリシ情報に基づいて、この他のフェムト基地局４の利用可能リソースの指標を決定してよい。回線決定部４６は、例えば次式（１）に従って他のフェムト基地局４の利用可能リソースの指標αを決定してよい。
【００８１】
α＝（他のフェムト基地局４の許容最大ユーザ数−他のフェムト基地局４の現在の接続ユーザ数）／（他のフェムト基地局４の許容最大ユーザ数）  …（１）
【００８２】
また、ＢＨ回線決定動作において回線決定部４６は、例えば、ＢＨ回線毎にＢＨ回線で割当可能なスループットを予測した指標である割当スループット予測指標を決定してよい。回線決定部４６は、例えば次式（２）に従って割当スループット予測指標α’を決定してよい。
【００８３】
α’＝ＢＨ回線の実効スループット×（本フェムト基地局４の許容最大ユーザ数−本フェムト基地局４の現在の接続ユーザ数）／（本フェムト基地局４の許容最大ユーザ数）  …（２）
【００８４】
回線決定部４６は、使用可能なＢＨ回線に応じて定められた所定のポリシに従って、移動局５のトラヒックの伝送に使用するＢＨ回線を決定する。
【００８５】
固定回線１１と、アドホック回線１３を使用可能なフェムト基地局４のポリシの例示を以下に示す。
【００８６】
（Ａ１）他のフェムト基地局４からポリシ情報を受信し、この他のフェムト基地局４について決定した利用可能リソースの指標αが０より大きい場合には、アドホック回線がＢＨ回線として決定される。指標αが０の場合には、固定回線１１がＢＨ回線として決定される。
【００８７】
（Ａ２）現在時刻が所定時間帯内であれば固定回線１１がＢＨ回線として決定される。所定時間帯は、例えば、１１：００〜１３：００及び１８：００〜２４：００であってよい。現在時刻がその他の時間帯であればアドホック回線がＢＨ回線として決定される。
【００８８】
（Ａ３）固定回線通信部４８が固定回線１１の回線障害を検出した場合には、回線決定部４６はアドホック回線１３をＢＨ回線として決定する。
【００８９】
無線回線１２とアドホック回線１３を使用可能なフェムト基地局４のポリシの例示を以下に示す。
【００９０】
（Ｂ１）移動局５のユーザ種別がプレミアユーザであり、移動局５で送信及び／又は受信するアプリケーションが所定のアプリケーションである場合には、モバイル回線がＢＨ回線として決定される。所定のアプリケーションは、例えば、ＶｏＩＰ（Voice Over Internet Protocol）又はＶｏＬＴＥ（Voice Over LTE）であってよい。それ以外の場合には、アドホック回線１３がＢＨ回線として決定される。
【００９１】
（Ｂ２）移動局５のユーザ種別がプレミアユーザである場合には無線回線１２が優先的にＢＨ回線として決定される。移動局５のユーザ種別がエコノミユーザである場合にはアドホック回線１３がＢＨ回線として決定される。
【００９２】
（Ｂ３）現在時刻が所定時間帯内であり、移動局５のユーザ種別がエコノミユーザである場合にはアドホック回線１３がＢＨ回線として決定される。例えば、所定時間帯は、例えば２４：００〜６：００であってよい。現在時刻がその他の時間帯であるか、移動局５のユーザ種別がプレミアユーザである場合には無線回線１２がＢＨ回線として決定される。
【００９３】
例えば、固定回線１１と、無線回線１２と、アドホック回線１３を使用可能なフェムト基地局４ａのポリシの例示を以下に示す。
【００９４】
（Ｃ１）原則として固定回線１１がＢＨ回線として決定される。
【００９５】
（Ｃ２）移動局５のユーザがプレミアユーザである場合には、無線回線１２がＢＨ回線として決定される。
【００９６】
（Ｃ３）無線回線１２の割当スループット予測指標α’が固定回線１１の指標α’よりも大きい場合は無線回線１２がＢＨ回線として決定される。
【００９７】
（Ｃ４）固定回線通信部４８が固定回線１１の回線障害を検出し、移動局５のユーザがプレミアユーザである場合には、回線決定部４６は、無線回線１２又はアドホック回線１３をＢＨ回線として決定する。この場合、回線決定部４６は、アドホック回線１３よりも優先的に無線回線１２をＢＨ回線として決定する。
【００９８】
（Ｃ５）固定回線通信部４８が固定回線１１の回線障害を検出し、移動局５のユーザがエコノミユーザである場合には、回線決定部４６は、アドホック回線１３をＢＨ回線として決定する。
【００９９】
続いて、フェムト基地局４による、ＢＨ回線決定動作の第１例を説明する。図６及び図７は、ＢＨ回線決定動作の第１例の説明図である。図６及び図７の動作は、固定回線１１と、無線回線１２と、アドホック回線１３を使用可能なフェムト基地局４でのＢＨ回線決定動作の例である。
【０１００】
オペレーションＡＡにおいて回線決定部４６は、ＢＨ回線決定動作の開始のためのトリガが発生したか否かを判断する。トリガが発生した場合（オペレーションＡＡ：Ｙ）に動作はオペレーションＡＢへ進む。トリガが発生しない場合（オペレーションＡＢ：Ｙ）に動作はオペレーションＡＡに戻る。この場合にＢＨ回線は切り替わらない。
【０１０１】
オペレーションＡＢにおいて回線決定部４６は、フェムト基地局４が形成するフェムトセル内に移動局５が存在するか否かを判断する。フェムトセル内に移動局５が存在する場合（オペレーションＡＢ：Ｙ）に動作はオペレーションＡＣへ進む。フェムトセル内に移動局５が存在しない場合（オペレーションＡＢ：Ｎ）に動作はオペレーションＡＡに戻る。この場合にＢＨ回線は切り替わらない。
【０１０２】
オペレーションＡＣにおいて回線決定部４６は、移動局５のトラフィックの伝送に現在使用されているＢＨ回線が定額課金制固定回線であるか否かを判断する。ＢＨ回線が定額課金制固定回線である場合（オペレーションＡＣ：Ｙ）に動作はオペレーションＡＤへ進む。ＢＨ回線が定額課金制固定回線でない場合（オペレーションＡＣ：Ｎ）に動作はオペレーションＡＥへ進む。
【０１０３】
オペレーションＡＤにおいて回線決定部４６は、定額課金制固定回線の回線使用率が１００％であるか否かを判断する。定額課金制固定回線の回線使用率が１００％である場合（オペレーションＡＤ：Ｙ）に動作はオペレーションＡＥへ進む。定額課金制固定回線の回線使用率が１００％でない場合（オペレーションＡＤ：Ｎ）に動作はオペレーションＡＡに戻る。この場合に、ＢＨ回線は切り替わらず、ＢＨ回線は定額課金制固定回線のままである。
【０１０４】
オペレーションＡＥにおいて回線決定部４６は、アドホック回線１３を経由して他のフェムト基地局４からポリシ情報を受信しているか否かを判断する。他のフェムト基地局４からのポリシ情報が受信済みである場合（オペレーションＡＥ：Ｙ）に動作はオペレーションＡＦへ進む。他のフェムト基地局４からのポリシ情報が受信済みでない場合（オペレーションＡＥ：Ｎ）に動作はオペレーションＡＫへ進む。
【０１０５】
オペレーションＡＦにおいて回線決定部４６は、現在時刻が所定時間帯内であるか否かを判断する。現在時刻が所定時間帯内である場合（オペレーションＡＦ：Ｙ）に動作はオペレーションＡＫへ進む。現在時刻が所定時間帯内でない場合（オペレーションＡＦ：Ｎ）に動作はオペレーションＡＧへ進む。
【０１０６】
オペレーションＡＧにおいて回線決定部４６は、他のフェムト基地局４のポリシ情報に基づいて算出された、この他のフェムト基地局４の利用可能リソースの指標αが０より大きいか否かを判断する。指標αが０より大きい場合（オペレーションＡＧ：Ｙ）に動作はオペレーションＡＨへ進む。指標αが０である場合（オペレーションＡＧ：Ｎ）に動作はオペレーションＡＫへ進む。
【０１０７】
オペレーションＡＨにおいて回線決定部４６は、他のフェムト基地局４が定額課金制固定回線又はＡＰ情報を有しているか否かを判断する。他のフェムト基地局４が定額課金制固定回線又はＡＰ情報を有している場合（オペレーションＡＨ：Ｙ）に動作はオペレーションＡＩへ進む。他のフェムト基地局４が定額課金制固定回線及びＡＰ情報のいずれも有していない場合（オペレーションＡＨ：Ｎ）に動作はオペレーションＡＫへ進む。
【０１０８】
オペレーションＡＩにおいて回線決定部４６は、アドホック回線１３の割当スループット予測指標α’が、フェムト基地局４が使用可能なＢＨ回線の中で最大であるか否かを判断する。アドホック回線１３の割当スループット予測指標α’が最大である場合（オペレーションＡＩ：Ｙ）に動作はオペレーションＡＪへ進む。アドホック回線１３の割当スループット予測指標α’が最大でない場合（オペレーションＡＩ：Ｎ）に動作はオペレーションＡＫへ進む。
【０１０９】
オペレーションＡＪにおいて回線決定部４６は、アドホック回線１３をＢＨ回線として選択する。その後、ＢＨ回線決定動作が終了する。
【０１１０】
オペレーションＡＫにおいて回線決定部４６は、移動局５のユーザがプレミアユーザであるか否かを判断する。ユーザがプレミアユーザである場合（オペレーションＡＫ：Ｙ）に動作はオペレーションＡＬに進む。ユーザがプレミアユーザでない場合（オペレーションＡＫ：Ｎ）に動作はオペレーションＡＲに進む。
【０１１１】
オペレーションＡＬにおいて回線決定部４６は、ＢＨ回線として使用可能な従量課金制固定回線があるか否かを判断する。ＢＨ回線として使用可能な従量課金制固定回線がある場合（オペレーションＡＬ：Ｙ）に動作はオペレーションＡＭへ進む。ＢＨ回線として使用可能な従量課金制固定回線がない場合（オペレーションＡＬ：Ｎ）に動作はオペレーションＡＰへ進む。
【０１１２】
オペレーションＡＭにおいて回線決定部４６は、アドホック回線１３の割当スループット予測指標α’が、フェムト基地局４が使用可能なＢＨ回線の中で最大であるか否かを判断する。アドホック回線１３の割当スループット予測指標α’が最大である場合（オペレーションＡＭ：Ｙ）に動作はオペレーションＡＮへ進む。アドホック回線１３の割当スループット予測指標α’が最大でない場合（オペレーションＡＭ：Ｎ）に動作はオペレーションＡＯへ進む。
【０１１３】
オペレーションＡＮにおいて回線決定部４６は、アドホック回線１３をＢＨ回線として選択する。その後、ＢＨ回線決定動作が終了する。
【０１１４】
オペレーションＡＯにおいて回線決定部４６は、無線回線１２の割当スループット予測指標α’が、フェムト基地局４が使用可能なＢＨ回線の中で最大であるか否かを判断する。無線回線１２の割当スループット予測指標α’が最大である場合（オペレーションＡＯ：Ｙ）に動作はオペレーションＡＰへ進む。無線回線１２の割当スループット予測指標α’が最大でない場合（オペレーションＡＯ：Ｎ）に動作はオペレーションＡＱへ進む。
【０１１５】
オペレーションＡＰにおいて回線決定部４６は、無線回線１２をＢＨ回線として選択する。その後、ＢＨ回線決定動作が終了する。オペレーションＡＱにおいて回線決定部４６は、従量課金制の固定回線をＢＨ回線として選択する。その後、ＢＨ回線決定動作が終了する。
【０１１６】
オペレーションＡＲにおいて回線決定部４６は、フェムト基地局４と直接アドホック回線１３で通信するＡＰがあるか否かを判断する。ＡＰがある場合（オペレーションＡＲ：Ｙ）に動作はオペレーションＡＳへ進む。ＡＰがない場合（オペレーションＡＲ：Ｎ）に動作はオペレーションＡＴへ進む。
【０１１７】
オペレーションＡＳにおいて回線決定部４６は、アドホック回線１３をＢＨ回線として選択する。その後、ＢＨ回線決定動作が終了する。オペレーションＡＴにおいて回線決定部４６は、本フェムト基地局４における移動局５との通信を中止する。その後、ＢＨ回線決定動作が終了する。
【０１１８】
続いて、ＢＨ回線決定動作のシーケンスを説明する。図８は、ＢＨ回線決定動作が行われる状態の一例の模式図である。図９は、ＢＨ回線決定動作のシーケンスの一例の説明図である。
【０１１９】
いま、フェムト基地局４ｂが形成するフェムトセル７ｂ内に移動局５ｆが在圏している場合を想定する。フェムト基地局４ｂに接続するユーザ数は、許容最大ユーザ数である。
【０１２０】
また、フェムト基地局４ａが形成するフェムトセル７ａ内に移動局５ｂが在圏している。オペレーションＢＡにおいてフェムト基地局４ａは、局舎装置２との間で固定回線１１ｂを経由して移動局５ｂのトラフィックを伝送する。オペレーションＢＡの動作は、移動局５の無線処理部７１と、フェムト基地局４ａの無線通信部４２及び固定回線通信部４８と、局舎装置２の固定回線ＩＦ部３２の動作に相当する。なお、フェムト基地局４ａは、従量課金制の無線回線１２ｂや、アドホック回線１３ｂもＢＨ回線として使用することができる。
【０１２１】
移動局５ｆが、フェムト基地局４ｂが形成するフェムトセルの外へ移動すると、フェムト基地局４ｂの接続数に余裕ができる。接続ユーザ数が減ったことにより、フェムト基地局４ｂの使用リソースに変化が生じるため、オペレーションＢＢにおいてフェムト基地局４ｂはポリシ情報を生成して周囲にブロードキャスト送信する。オペレーションＢＢの動作は、フェムト基地局４ｂのフェムトセル情報取得部４３、ポリシ生成部４４及びポリシ通信部４５の動作に相当する。
【０１２２】
オペレーションＢＣにおいてフェムト基地局４ａがポリシ情報を取得すると、ＢＨ回線決定動作を開始するトリガが発生する。オペレーションＢＣの動作は、フェムト基地局４ａのポリシ通信部４５の動作に相当する。
【０１２３】
オペレーションＢＤにおいてフェムト基地局４ａは、フェムト基地局４ａに関連する情報を取得し、ポリシ情報を生成する。オペレーションＢＤの動作は、フェムト基地局４ａのフェムトセル情報取得部４３及びポリシ生成部４４の動作に相当する。
【０１２４】
オペレーションＢＥにおいてフェムト基地局４ａは、オペレーションＢＤで取得した情報、フェムト基地局４ｂ及び／又は移動局５ｂから受信したポリシ情報に応じて移動局５ｂのトラフィックを伝送するＢＨ回線を決定する。本実施例では、例えばアドホック回線１３ｂをＢＨ回線として選択する。オペレーションＢＥの動作は、フェムト基地局４ａの回線決定部４６の動作に相当する。
【０１２５】
オペレーションＢＦにおいてフェムト基地局４ａは、移動局５ｂのトラフィックを伝送するＢＨ回線をアドホック回線１３ｂに切り替える。その後、フェムト基地局４ａは、局舎装置２との間でアドホック回線１３ｂを経由して移動局５ｂのトラフィックを伝送する。オペレーションＢＦの動作は、フェムト基地局４ａの回線決定部４６、ＢＨ回線切り換え部４７及びアドホック通信部５０の動作に相当する。
【０１２６】
この結果、例えば従量課金制の無線回線１２ｂを使用せずに、フェムト基地局４ａは、アドホック回線１３ｂで移動局５ｂのトラフィックを伝送できる。
【０１２７】
なお、他の動作例では、オペレーションＢＥにおいて、固定回線１１ｂ又は無線回線１２ｂが、ＢＨ回線として選択されてもよい。このように、フェムト基地局４ａは、スループットの異なる複数の回線の中から使用するＢＨ回線を選択できるため移動局５ｂの通信スループットを向上することができる。
【０１２８】
続いて、フェムト基地局４によるＢＨ回線決定動作の第２例を説明する。図１０及び図１１は、ＢＨ回線決定動作の第２例の説明図である。図１０及び図１１の動作は、無線回線１２とアドホック回線１３を使用可能なフェムト基地局４でのＢＨ回線決定動作の例である。
【０１２９】
オペレーションＣＡにおいて回線決定部４６は、ＢＨ回線決定動作の開始のためのトリガが発生したか否かを判断する。トリガが発生した場合（オペレーションＣＡ：Ｙ）に動作はオペレーションＣＢへ進む。トリガが発生しない場合（オペレーションＣＢ：Ｙ）に動作はオペレーションＣＡに戻る。この場合にＢＨ回線は切り替わらない。
【０１３０】
オペレーションＣＢにおいて回線決定部４６は、フェムト基地局４が形成するフェムトセル内に移動局５が存在するか否かを判断する。フェムトセル内に移動局５が存在する場合（オペレーションＣＢ：Ｙ）に動作はオペレーションＣＣへ進む。フェムトセル内に移動局５が存在しない場合（オペレーションＣＢ：Ｎ）に動作はオペレーションＣＡに戻る。この場合にＢＨ回線は切り替わらない。
【０１３１】
オペレーションＣＣにおいて回線決定部４６は、アドホック回線１３を経由して他のフェムト基地局４からポリシ情報を受信しているか否かを判断する。他のフェムト基地局４からのポリシ情報が受信済みである場合（オペレーションＣＣ：Ｙ）に動作はオペレーションＣＤへ進む。他のフェムト基地局４からのポリシ情報が受信済みでない場合（オペレーションＣＣ：Ｎ）に動作はオペレーションＣＩへ進む。
【０１３２】
オペレーションＣＤにおいて回線決定部４６は、現在時刻が所定時間帯内であるか否かを判断する。現在時刻が所定時間帯内である場合（オペレーションＣＤ：Ｙ）に動作はオペレーションＣＩへ進む。現在時刻が所定時間帯内でない場合（オペレーションＣＤ：Ｎ）に動作はオペレーションＡＥへ進む。
【０１３３】
オペレーションＣＥにおいて回線決定部４６は、他のフェムト基地局４のポリシ情報に基づいて算出された、この他のフェムト基地局４の利用可能リソースの指標αが０より大きいか否かを判断する。指標αが０より大きい場合（オペレーションＣＥ：Ｙ）に動作はオペレーションＣＦへ進む。指標αが０である場合（オペレーションＣＥ：Ｎ）に動作はオペレーションＣＩへ進む。
【０１３４】
オペレーションＣＦにおいて回線決定部４６は、他のフェムト基地局４が定額課金制固定回線又はＡＰ情報を有しているか否かを判断する。他のフェムト基地局４が定額課金制固定回線又はＡＰ情報を有している場合（オペレーションＣＦ：Ｙ）に動作はオペレーションＣＧへ進む。他のフェムト基地局４が定額課金制固定回線及びＡＰ情報のいずれも有していない場合（オペレーションＣＦ：Ｎ）に動作はオペレーションＣＩへ進む。
【０１３５】
オペレーションＣＧにおいて回線決定部４６は、アドホック回線１３の割当スループット予測指標α’が、フェムト基地局４が使用可能なＢＨ回線の中で最大であるか否かを判断する。アドホック回線１３の割当スループット予測指標α’が最大である場合（オペレーションＣＧ：Ｙ）に動作はオペレーションＣＨへ進む。アドホック回線１３の割当スループット予測指標α’が最大でない場合（オペレーションＣＧ：Ｎ）に動作はオペレーションＣＩへ進む。
【０１３６】
オペレーションＣＨにおいて回線決定部４６は、アドホック回線１３をＢＨ回線として選択する。その後、ＢＨ回線決定動作が終了する。
【０１３７】
オペレーションＣＩにおいて回線決定部４６は、回線決定部４６は、移動局５のユーザがプレミアユーザであるか否かを判断する。ユーザがプレミアユーザである場合（オペレーションＣＩ：Ｙ）に動作はオペレーションＣＪに進む。ユーザがプレミアユーザでない場合（オペレーションＣＩ：Ｎ）に動作はオペレーションＣＭに進む。
【０１３８】
オペレーションＣＪにおいて回線決定部４６は、アドホック回線１３の割当スループット予測指標α’が、フェムト基地局４が使用可能なＢＨ回線の中で最大であるか否かを判断する。アドホック回線１３の割当スループット予測指標α’が最大である場合（オペレーションＣＪ：Ｙ）に動作はオペレーションＣＫへ進む。アドホック回線１３の割当スループット予測指標α’が最大でない場合（オペレーションＣＪ：Ｎ）に動作はオペレーションＣＬへ進む。
【０１３９】
オペレーションＣＫにおいて回線決定部４６は、回線決定部４６は、アドホック回線１３をＢＨ回線として選択する。その後、ＢＨ回線決定動作が終了する。オペレーションＣＬにおいて回線決定部４６は、無線回線１２をＢＨ回線として選択する。その後、ＢＨ回線決定動作が終了する。
【０１４０】
オペレーションＣＭにおいて回線決定部４６は、フェムト基地局４と直接アドホック回線１３で通信するＡＰがあるか否かを判断する。ＡＰがある場合（オペレーションＣＭ：Ｙ）に動作はオペレーションＣＮへ進む。ＡＰがない場合（オペレーションＣＭ：Ｎ）に動作はオペレーションＣＯへ進む。
【０１４１】
オペレーションＣＮにおいて回線決定部４６は、アドホック回線１３をＢＨ回線として選択する。その後、ＢＨ回線決定動作が終了する。オペレーションＣＯにおいて回線決定部４６は、本フェムト基地局４における移動局５との通信を中止する。その後、ＢＨ回線決定動作が終了する。
【０１４２】
続いて、フェムト基地局４によるＢＨ回線決定動作の第３例を説明する。図１２及び図１３は、ＢＨ回線決定動作の第３例の説明図である。図１２及び図１３の動作は、固定回線１１とアドホック回線１３を使用可能なフェムト基地局４でのＢＨ回線決定動作の例である。
【０１４３】
オペレーションＤＡ〜ＤＪの動作は、図６及び図７を参照して説明したオペレーションＡＡ〜ＡＪの動作と同様である。但し、オペレーションＤＥの判断で他のフェムト基地局４からのポリシ情報が受信済みでない場合（オペレーションＤＥ：Ｎ）に動作はオペレーションＤＫへ進む。また、オペレーションＤＦの判断で現在時刻が所定時間帯内である場合（オペレーションＤＦ：Ｙ）に動作はオペレーションＤＫへ進む。
【０１４４】
オペレーションＤＧの判断で、フェムト基地局４の利用可能リソースの指標αが０である場合（オペレーションＤＧ：Ｎ）に動作はオペレーションＤＫへ進む。オペレーションＤＨの判断で、他のフェムト基地局４が定額課金制固定回線及びＡＰ情報のいずれも有していない場合（オペレーションＤＨ：Ｎ）に動作はオペレーションＤＫへ進む。オペレーションＤＩの判断で、アドホック回線１３の割当スループット予測指標α’が最大でない場合（オペレーションＤＩ：Ｎ）に動作はオペレーションＤＫへ進む。
【０１４５】
オペレーションＤＫにおいて回線決定部４６は、回線決定部４６は、ＢＨ回線として使用可能な従量課金制固定回線があるか否かを判断する。ＢＨ回線として使用可能な従量課金制固定回線がある場合（オペレーションＤＫ：Ｙ）に動作はオペレーションＤＬへ進む。ＢＨ回線として使用可能な従量課金制固定回線がない場合（オペレーションＡＫ：Ｎ）に動作はオペレーションＤＯへ進む。
【０１４６】
オペレーションＤＬにおいて回線決定部４６は、アドホック回線１３の割当スループット予測指標α’が、フェムト基地局４が使用可能なＢＨ回線の中で最大であるか否かを判断する。アドホック回線１３の割当スループット予測指標α’が最大である場合（オペレーションＤＬ：Ｙ）に動作はオペレーションＤＭへ進む。アドホック回線１３の割当スループット予測指標α’が最大でない場合（オペレーションＤＬ：Ｎ）に動作はオペレーションＤＮへ進む。
【０１４７】
オペレーションＤＭにおいて回線決定部４６は、回線決定部４６は、アドホック回線１３をＢＨ回線として選択する。その後、ＢＨ回線決定動作が終了する。オペレーションＤＮにおいて回線決定部４６は、従量課金制の固定回線をＢＨ回線として選択する。その後、ＢＨ回線決定動作が終了する。オペレーションＤＯにおいて回線決定部４６は、本フェムト基地局４における移動局５との通信を中止する。その後、ＢＨ回線決定動作が終了する。
【０１４８】
＜３．２  無線アクセス回線決定動作＞
続いて、フェムト基地局４による、無線アクセス回線決定動作の一例を説明する。回線決定部４６は、ポリシ生成部４４が生成するポリシ情報に含まれる情報及び／又は移動局５から受信したポリシ情報に基づいて、フェムト基地局４と移動局５との間の無線アクセス回線を決定する。
【０１４９】
この無線アクセス回線決定動作において回線決定部４６は、例えば、無線アクセス回線毎に、無線アクセス回線で割当可能なスループットを予測した指標である割当スループット予測指標を決定してよい。回線決定部４６は、例えば次式（３）に従って割当スループット予測指標βを決定してよい。
【０１５０】
β＝無線アクセス回線の実効スループット×（本フェムト基地局４の許容最大ユーザ数−本フェムト基地局４の現在の接続ユーザ数）／（本フェムト基地局４の許容最大ユーザ数）  …（３）
【０１５１】
回線決定部４６は、所定のポリシに従って、フェムト基地局４と移動局５との間の無線アクセス回線を決定する。図１４は、無線アクセス回線決定動作の一例の説明図である。
【０１５２】
オペレーションＥＡにおいて回線決定部４６は、移動局５のユーザがプレミアユーザであるか否かを判断する。ユーザがプレミアユーザである場合（オペレーションＥＡ：Ｙ）に動作はオペレーションＥＢに進む。ユーザがプレミアユーザでない場合（オペレーションＥＡ：Ｎ）に動作はオペレーションＥＣに進む。
【０１５３】
オペレーションＥＢにおいて回線決定部４６は、移動局５とフェムト基地局４との間で使用できる複数の移動通信無線アクセス方式の無線回線のうち、仕様上、比較的高いスループットが期待できる回線を使用回線として決定する。その後、無線アクセス回線決定動作が終了する。
【０１５４】
オペレーションＥＣにおいて回線決定部４６は、トラフィックを送信及び／又は受信するアプリケーション情報に基づいて、移動局５が送信及び／又は受信するコンテンツが、無線回線１２を使用するコンテンツであるか否かを判断する。、移動局５が送信及び／又は受信するコンテンツが、無線回線１２を使用するコンテンツの場合（オペレーションＥＣ：Ｙ）に動作はオペレーションＥＤへ進む。移動局５が送信及び／又は受信するコンテンツが、無線回線１２を使用するコンテンツでない場合（オペレーションＥＣ：Ｎ）に動作はオペレーションＥＥへ進む。
【０１５５】
オペレーションＥＤにおいて回線決定部４６は、移動局５とフェムト基地局４との間で使用できる複数の移動通信無線アクセス方式の無線回線である３Ｇ回線及びＬＴＥ回線のいずれかを、使用回線として決定する。その後、無線アクセス回線決定動作が終了する。
【０１５６】
オペレーションＥＥにおいて回線決定部４６は、ＷｉＦｉ回線の割当スループット予測指標βが、フェムト基地局４が使用可能な無線アクセス回線の中で最大であるか否かを判断する。ＷｉＦｉ回線の割当スループット予測指標βが最大である場合（オペレーションＥＥ：Ｙ）に動作はオペレーションＥＦへ進む。ＷｉＦｉ回線の割当スループット予測指標βが最大でない場合（オペレーションＥＥ：Ｎ）に動作はオペレーションＥＧへ進む。
【０１５７】
オペレーションＥＦにおいて回線決定部４６は、ＷｉＦｉ回線を、移動局５とフェムト基地局４との間の無線アクセス回線として決定する。その後、無線アクセス回線決定動作が終了する。
【０１５８】
オペレーションＥＧにおいて回線決定部４６は、３Ｇ回線の割当スループット予測指標βが、フェムト基地局４が使用可能な無線アクセス回線の中で最大であるか否かを判断する。３Ｇ回線の割当スループット予測指標βが最大である場合（オペレーションＥＧ：Ｙ）に動作はオペレーションＥＨへ進む。３Ｇ回線の割当スループット予測指標βが最大でない場合（オペレーションＥＧ：Ｎ）に動作はオペレーションＥＩへ進む。
【０１５９】
オペレーションＥＨにおいて回線決定部４６は、３Ｇ回線を、移動局５とフェムト基地局４との間の無線アクセス回線として決定する。その後、無線アクセス回線決定動作が終了する。オペレーションＥＩにおいて回線決定部４６は、ＬＴＥ回線を、移動局５とフェムト基地局４との間の無線アクセス回線として決定する。その後、無線アクセス回線決定動作が終了する。
【０１６０】
続いて、無線アクセス回線決定動作のシーケンスを説明する。図１５は、無線アクセス回線決定動作が行われる状態の一例の模式図である。図１６は、無線アクセス回線決定動作のシーケンスの一例の説明図である。
【０１６１】
いま、マクロ基地局３が形成するマクロセル７ｃ内に移動局５ａが在圏している場合を想定する。また、オペレーションＦＡにおいて局舎装置２は、マクロセル７ｃ内の移動局５ａの使用通信回線を指定する通信回線指定情報を移動局５ａへ送信する。オペレーションＦＡの動作は局舎装置２のトラフィック情報取得部３４、ポリシ生成部３５、ポリシ通信部３６及び固定回線ＩＦ部３２の動作に相当する。
【０１６２】
オペレーションＦＢにおいて、移動局５ａは、マクロ基地局３を経由して通信回線指定情報を受信する。オペレーションＦＢの動作は、マクロ基地局３の固定回線通信部６０及び無線処理部６１と、移動局５の無線処理部７１及びポリシ通信部７４の動作に相当する。
【０１６３】
オペレーションＦＣにおいて移動局５ａは、通信回線指定情報により設定された通信回線で通信を行う。オペレーションＦＣの動作は、移動局５の無線処理部７１及び通信回線制御部７０の動作に相当する。
【０１６４】
フェムト基地局４ａが形成するフェムトセル７ａ内に移動局５ａが移動すると、移動局５ａの接続先の基地局がフェムト基地局４ａに変わるため、オペレーションＦＤにおいて移動局５ａがポリシ情報を生成するトリガが発生する。
【０１６５】
オペレーションＦＥにおいて移動局５ａはポリシ情報を生成し、フェムト基地局４ａへ送信する。オペレーションＦＥの動作は、移動局５ａの移動局情報取得部７２と、ポリシ生成部７３と、ポリシ通信部７４の動作に相当する。
【０１６６】
オペレーションＦＦにおいてフェムト基地局４ａがポリシ情報を取得すると、無線アクセス回線決定動作を開始するトリガが発生する。フェムト基地局４ａは、フェムト基地局４ａに関連する情報を取得し、ポリシ情報を生成する。オペレーションＦＦの動作は、フェムト基地局４ａのフェムトセル情報取得部４３及びポリシ生成部４４の動作に相当する。
【０１６７】
オペレーションＦＧにおいてフェムト基地局４ａは、オペレーションＦＦで取得した情報及び／又は移動局５ａから受信したポリシ情報に応じて移動局５ａとフェムト基地局４ａとの間の無線アクセス回線を決定する。オペレーションＦＧの動作は、フェムト基地局４ａの回線決定部４６の動作に相当する。
【０１６８】
オペレーションＦＨにおいてフェムト基地局４ａは、決定した無線アクセス回線を指定する通信回線指定情報を移動局５へ送信する。オペレーションＦＨの動作は、フェムト基地局４ａのポリシ生成部４４とポリシ通信部４５の動作に相当する。オペレーションＦＩにおいて移動局５ａは、フェムト基地局４ａとの通信に使用する無線アクセス回線を、通信回線指定情報により指定された回線に切り替える。オペレーションＦＩの動作は、移動局５の無線処理部７１及び通信回線制御部７０の動作に相当する。
【０１６９】
オペレーションＦＪにおいて移動局５ａは、通信回線指定情報により設定された通信回線で通信を行う。オペレーションＦＣの動作は、移動局５の無線処理部７１及び通信回線制御部７０の動作に相当する。
【０１７０】
以上の説明において、図２〜図５の機能構成図は、本明細書において説明される機能に関係する構成を中心に示している。局舎装置２、マクロ基地局３、フェムト基地局４及び移動局５は、図示の構成要素以外の他の構成要素を含んでいてよい。図６、図７、図９〜図１４及び図１６を参照して説明する一連の動作は複数の手順を含む方法と解釈してもよい。この場合に「オペレーション」を「ステップ」と読み替えてもよい。
【０１７１】
＜４．実施例の効果＞
本実施例によれば、フェムト基地局４とその上位装置である局舎装置２との間の通信効率が向上する。例えば、フェムト基地局４や、他のフェムト基地局の状態に応じて使用するＢＨ回線を選択することにより、より通信効率の良い回線を用いてフェムト基地局４と局舎装置２が通信できるようになる。
【０１７２】
また、特定のＢＨ回線を使用する条件を制限することで、特定のＢＨ回線の負荷を軽減することができる。特定のＢＨ回線の負荷を軽減することで、例えば、移動体通信事業者が管理する回線の負荷を低減し、移動体通信事業者の負担を低減できる。また、例えば、従量課金制回線を使用する条件を制限することで、例えば通信費用が低減される。
【０１７３】
本実施例によれば、フェムト基地局４と移動局５との間の通信効率が向上する。例えば、フェムト基地局４や移動局５の状態に応じて使用する無線アクセス回線を選択することにより、より通信効率の良い回線を用いてフェムト基地局４と移動局５が通信できるようになる。また、移動局５のユーザ情報やアプリケーションの情報により無線アクセス回線を選択することにより、ユーザに提供する通信サービスの多様化を実現することができる。
【０１７４】
また、本実施例によれば、ＢＨ回線を決定する機能、及び無線アクセス回線を決定する機能をフェムト基地局４に分散して配置することにより、局舎装置２にＡＮＤＳＦサーバを集中配置する構成と比較して局舎装置２の負荷が低減される。また、フェムト基地局４や移動局５の状態変化に応じて迅速にＢＨ回線及び無線アクセス回線を決定することができる。
【０１７５】
＜５．変形例＞
なお、回線決定部４６は、同一の移動局５のトラヒックを同時並列に伝送するための複数のＢＨ回線を選択してよい。ＢＨ通信部４１は、回線決定部４６により選択された複数のＢＨ回線を経由するリンクアグリゲーションにより、同一の移動局５のトラヒックを同時並列に伝送してよい。
【０１７６】
また、回線決定部４６は、同一の移動局５と同時並列に通信するための複数の無線アクセス回線を選択してよい。無線通信部４２は、回線決定部４６により選択された複数の無線アクセス回線を経由するリンクアグリゲーションにより、同一の移動局５と同時並列に通信してよい。
【０１７７】
＜６．ハードウエア構成＞
以下、移動通信システム１の各構成要素のハードウエア構成例を説明する。図１７は、局舎装置２の一例のハードウエア構成図である。局舎装置２は、プロセッサ１００と、記憶装置１０１と、ＬＳＩ（Large Scale Integration）１０２と、無線処理回路１０３と、ネットワークインタフェース回路１０４を備える。以下の説明及び添付図面においてネットワークインタフェースを「ＮＩＦ」と表記する事がある。
【０１７８】
記憶装置１０１は、コンピュータプログラムやデータを記憶するための、不揮発性メモリや、読み出し専用メモリ（ROM: Read Only Memory）やランダムアクセスメモリ（RAM: Random Access Memory）、ハードディスクドライブ装置等を含んでいてよい。プロセッサ１００は、記憶装置１０１に格納されたコンピュータプログラムに従い局舎装置２の動作制御を行う。
【０１７９】
ＬＳＩ１０２は、局舎装置２とフェムト基地局４と間の無線回線１２の移動通信無線アクセス方式に従う信号の符号化及び変調、並びに復調及び復号化、通信プロトコル処理、スケジューリングに関するベースバンド信号の処理を実施する。ＬＳＩ１０２は、ＦＰＧＡ（Field-Programming Gate Array）、ＡＳＩＣ（Application Specific Integrated Circuit）やＤＳＰ(Digital Signal Processing)等を含んでいてよい。
【０１８０】
無線処理回路１０３は、デジタル・アナログ変換回路や、アナログ・デジタル変換回路や、周波数変換回路、増幅回路、フィルタ回路などを含んでいてよい。ＮＩＦ回路１０４は、インターネットや固定回線１１を経由する通信のため物理層およびデータリンク層の処理を行う電子的な回路を備える。
【０１８１】
図２に示す通信回線決定部３０の上記動作は、プロセッサ１００によって実行されてよい。ＣＮ部３１の上記動作は、プロセッサ１００及びＮＩＦ回路１０４の協働により実行されてよい。固定回線ＩＦ部３２の上記動作はＮＩＦ回路１０４によって実行されてよい。無線処理部３３の上記動作はＬＳＩ１０２及び無線処理回路１０３の協働により実行されてよい。
【０１８２】
図１８は、フェムト基地局４の一例のハードウエア構成図である。フェムト基地局４は、プロセッサ１１０と、記憶装置１１１と、ＬＳＩ１１２と、無線処理回路１１３及び１１４と、ＷｉＦｉＩＦ回路１１５と、ＮＩＦ回路１１６を備える。
【０１８３】
記憶装置１１１は、コンピュータプログラムやデータを記憶するための、不揮発性メモリや、読み出し専用メモリやランダムアクセスメモリ、ハードディスクドライブ装置等を含んでいてよい。プロセッサ１１０は、記憶装置１１１に格納されたコンピュータプログラムに従いフェムト基地局４の動作制御を行う。
【０１８４】
ＬＳＩ１１２は、局舎装置２とフェムト基地局４と間の無線回線１２並びにフェムト基地局４と移動局５の間の無線アクセス回線の移動通信無線アクセス方式に従う信号処理を実行する。信号処理には、符号化及び変調、並びに復調及び復号化、通信プロトコル処理、スケジューリングに関するベースバンド信号の処理が含まれる。ＬＳＩ１１２は、ＦＰＧＡ、ＡＳＩＣやＤＳＰ等を含んでいてよい。
【０１８５】
無線処理回路１１３及び１１４は、デジタル・アナログ変換回路や、アナログ・デジタル変換回路や、周波数変換回路、増幅回路、フィルタ回路などを含んでいてよい。ＷｉＦｉＩＦ回路１１５は、ＷｉＦｉの通信制御規則に基づく信号の送受信のための信号処理を行う。ＮＩＦ回路１１６は、固定回線１１を経由する通信のため物理層およびデータリンク層の処理を行う電子的な回路を備える。
【０１８６】
図３に示す通信回線決定部４０、ＢＨ回線切替部４７及び無線切替部５１の上記動作は、プロセッサ１１０によって実行されてよい。固定回線通信部４８の上記動作は、ＮＩＦ回路１１６によって実行されてよい。移動通信部４９の上記動作は、ＬＳＩ１１２及び無線処理回路１１３の協働により実行されてよい。アドホック通信部５０及びＷｉＦｉ通信部５４の上記動作は、ＷｉＦｉＩＦ回路１１５によって実行されてよい。３Ｇ通信部５２及びＬＴＥ通信部５３の上記動作は、ＬＳＩ１１２及び無線処理回路１１４の協働により実行されてよい。
【０１８７】
図１９は、マクロ基地局３の一例のハードウエア構成図である。マクロ基地局３は、プロセッサ１２０と、記憶装置１２１と、ＬＳＩ１２２と、無線処理回路１２３と、ＮＩＦ回路１２４を備える。
【０１８８】
記憶装置１２１は、コンピュータプログラムやデータを記憶するための、不揮発性メモリや、読み出し専用メモリやランダムアクセスメモリ、ハードディスクドライブ装置等を含んでいてよい。プロセッサ１２０は、記憶装置１２１に格納されたコンピュータプログラムに従いマクロ基地局３の動作制御を行う。
【０１８９】
ＬＳＩ１２２は、マクロ基地局３と移動局５の間の通信回線の移動通信無線アクセス方式に従う信号の符号化及び変調、並びに復調及び復号化、通信プロトコル処理、スケジューリングに関するベースバンド信号の処理を実行する。ＬＳＩ１２２は、ＦＰＧＡ、ＡＳＩＣやＤＳＰ等を含んでいてよい。
【０１９０】
無線処理回路１２３は、デジタル・アナログ変換回路や、アナログ・デジタル変換回路や、周波数変換回路、増幅回路、フィルタ回路などを含んでいてよい。ＮＩＦ回路１２４は、固定回線１１を経由する通信のため物理層およびデータリンク層の処理を行う電子的な回路を備える。
【０１９１】
図４に示す固定回線通信部６０の上記動作は、ＮＩＦ回路１２４によって実行されてよい。無線処理部６１の上記動作はＬＳＩ１２２及び無線処理回路１２３の協働によって実行されてよい。
【０１９２】
図２０は、移動局５の一例のハードウエア構成図である。移動局５は、プロセッサ１３０と、記憶装置１３１と、ＬＳＩ１３２と、無線処理回路１３３と、ＷｉＦｉＩＦ回路１３４を備える。
【０１９３】
記憶装置１３１は、コンピュータプログラムやデータを記憶するための、不揮発性メモリや、読み出し専用メモリやランダムアクセスメモリ、ハードディスクドライブ装置等を含んでいてよい。プロセッサ１３０は、記憶装置１３１に格納されたコンピュータプログラムに従い移動局５の動作制御を行う。
【０１９４】
ＬＳＩ１３２は、マクロ基地局３と移動局５との間並びにフェムト基地局４と移動局５の間の無線アクセス回線の移動通信無線アクセス方式に従う信号処理を実行する。信号処理には、符号化及び変調、並びに復調及び復号化、通信プロトコル処理、スケジューリングに関するベースバンド信号の処理が含まれる。ＬＳＩ１３２は、ＦＰＧＡ、ＡＳＩＣやＤＳＰ等を含んでいてよい。
【０１９５】
無線処理回路１３３は、デジタル・アナログ変換回路や、アナログ・デジタル変換回路や、周波数変換回路、増幅回路、フィルタ回路などを含んでいてよい。ＷｉＦｉＩＦ回路１３４は、ＷｉＦｉの通信制御規則に基づく信号の送受信のための信号処理を行う。
【０１９６】
図５に示す通信回線制御部７０の上記動作は、プロセッサ１３０によって実行される。無線処理部７１の上記動作は、ＬＳＩ１３２及び無線処理回路１３３の協働と、ＷｉＦｉＩＦ回路１３４とによって実行される。
【０１９７】
なお、図１７〜図２０に示すハードウエア構成は実施例の説明のための例示にすぎない。上述の動作を実行するものであれば、本明細書に記載される局舎装置２、マクロ基地局３、フェムト基地局４及び移動局５は他のどのようなハードウエア構成を採用してもよい。
【０１９８】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１９９】
１    移動通信システム
２    局舎装置
３    マクロ基地局
４、４ａ〜４ｃ    フェムト基地局
５、５ａ〜５ｅ    移動局
６ａ    ＡＰ
【図１】
2014147798.tif 000003
【図２】
2014147798.tif 000004
【図３】
2014147798.tif 000005
【図４】
2014147798.tif 000006
【図５】
2014147798.tif 000007
【図６】
2014147798.tif 000008
【図７】
2014147798.tif 000009
【図８】
2014147798.tif 000010
【図９】
2014147798.tif 000011
【図１０】
2014147798.tif 000012
【図１１】
2014147798.tif 000013
【図１２】
2014147798.tif 000014
【図１３】
2014147798.tif 000015
【図１４】
2014147798.tif 000016
【図１５】
2014147798.tif 000017
【図１６】
2014147798.tif 000018
【図１７】
2014147798.tif 000019
【図１８】
2014147798.tif 000020
【図１９】
2014147798.tif 000021
【図２０】
2014147798.tif 000022
【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
基地局装置であって、
異なる複数の通信回線を経由して前記基地局装置の上位装置との間でそれぞれ通信を行う複数の通信部と、
前記基地局装置の状態に関する基地局情報を取得する基地局情報取得部と、
前記基地局情報に応じて前記複数の通信回線の中のいずれかを選択する回線選択部と、
移動局装置のトラヒックの伝送に使用する回線を前記回線選択部により選択された回線に動的に切り替える回線切替部と、
を備えることを特徴とする基地局装置。
【請求項２】
前記複数の通信回線のいずれかの通信回線を介して前記基地局装置と通信可能な第２基地局装置を検出する基地局検出部を備え、
前記回線選択部は、前記第２基地局装置の検出結果に応じて前記いずれかの通信回線を選択する、
ことを特徴とする請求項１に記載の基地局装置。
【請求項３】
前記複数の通信回線のいずれかの通信回線を介して前記基地局装置と通信可能な第２基地局装置の状態に関する第２基地局情報を取得する第２基地局情報取得部を備え、
前記回線選択部は、前記基地局情報及び／又は前記第２基地局情報に応じて前記複数の通信回線の中のいずれかを選択する、
ことを特徴とする請求項１に記載の基地局装置。
【請求項４】
前記回線選択部は、前記第２基地局情報に応じて前記いずれかの通信回線を選択することを特徴とする請求項３に記載の基地局装置。
【請求項５】
前記回線選択部は、前記複数の通信回線の中から選択される異なる複数の回線を選択し、
前記回線選択部が選択した複数の回線で、同一の移動局装置のトラヒックを並列に伝送することを特徴とする請求項１〜４のいずれか一項に記載の基地局装置。
【請求項６】
異なる複数の無線通信回線を経由して前記移動局装置との間でそれぞれ通信を行う複数の第２通信部と、
前記移動局装置の状態に関する移動局情報を取得する移動局情報取得部と、
前記基地局情報及び／又は前記移動局情報に応じて前記複数の無線通信回線の中のいずれかを選択する第２回線選択部と、
前記第２回線選択部により選択された回線に前記移動局装置との通信に使用する回線を動的に切り替える第２回線切替部と、
を備えることを特徴とする請求項１に記載の基地局装置。
【請求項７】
前記移動局情報は、前記移動局装置のユーザに関する情報及び前記移動局装置で動作するアプリケーションに関する情報のいずれかを含む請求項６に記載の基地局装置。
【請求項８】
前記第２回線選択部により選択された回線を指定する回線指定情報を前記移動局装置に送信する送信部を備えることを特徴とする請求項６又は７に記載の基地局装置。
【請求項９】
前記第２回線選択部は、前記複数の無線通信回線の中から選択される異なる複数の回線を選択し、
前記回線選択部が選択した複数の回線により同一の移動局装置と並列に通信を行うことを特徴とする請求項６〜８のいずれか一項に記載の基地局装置。
【請求項１０】
移動局装置であって、
異なる複数の無線通信回線を経由して基地局装置との間でそれぞれ通信を行う複数の通信部と、
前記移動局装置の状態に関する移動局情報を取得する移動局情報取得部と、
前記複数の通信部のいずれかにより前記移動局情報を送信し、前記移動局情報の送信に応答して前記基地局装置が送信する回線指定情報を前記複数の通信部のいずれかにより受信する回線指定情報取得部と、
前記回線指定情報により指定される回線に前記基地局装置との通信に使用する回線を動的に切り替える回線切替部と、
を備えることを特徴とする移動局装置。
【請求項１１】
前記移動局情報は、前記移動局装置のユーザに関する情報及び前記移動局装置で動作するアプリケーションに関する情報のいずれかを含む請求項１０に記載の移動局装置。
【請求項１２】
基地局装置の状態に関する基地局情報を取得し、
前記基地局情報に応じて、前記基地局装置の上位装置との間の異なる複数の通信回線の中のいずれかの回線を選択し、
選択された前記いずれかの回線に、移動局装置のトラヒックの伝送に使用する回線を動的に切り替える、
ことを特徴とする回線切替方法。
【請求項１３】
移動局装置の状態に関する移動局情報を取得し、
前記移動局情報を前記移動局装置から基地局装置に送信し、
前記移動局情報に応答して前記基地局装置から送信される、異なる複数の無線通信回線のいずれかを指定する回線指定情報を前記移動局装置で受信し、
前記移動局装置と前記基地局装置との通信に使用する回線を前記回線指定情報により指定される回線に動的に切り替える、
ことを特徴とする回線切替方法。
【手続補正書】
【提出日】平成28年8月10日(2016.8.10)
【手続補正２】
【補正対象書類名】特許請求の範囲
【補正対象項目名】全文
【補正方法】変更
【補正の内容】
【特許請求の範囲】
【請求項１】
フェムト基地局装置であって、
固定回線、移動通信無線アクセス方式の無線回線およびアドホック回線を含む複数のバックホール回線を経由して、前記フェムト基地局装置の上位装置及び前記フェムト基地局装置と通信可能な第２フェムト基地局装置との間でそれぞれ通信を行う複数の通信部と、
接続中の配下の移動局装置の状態に関する情報と、前記フェムト基地局装置の状態および前記第２フェムト基地局装置の状態に関する基地局情報とを含むフェムトセル情報を取得するフェムトセル情報取得部と、
前記フェムトセル情報に応じて前記複数のバックホール回線の中のいずれかを選択する回線選択部と、
前記移動局装置のトラヒックの伝送に使用する前記バックホール回線を前記回線選択部により選択されたバックホール回線に動的に切り替える回線切替部と、
を備えることを特徴とするフェムト基地局装置。
【請求項２】
前記複数のバックホール回線のいずれかのバックホール回線を介して前記フェムト基地局装置と通信可能な第２フェムト基地局装置を検出する基地局検出部を備え、
前記回線選択部は、前記第２フェムト基地局装置の検出結果に応じて前記いずれかのバックホール回線を選択する、
ことを特徴とする請求項１に記載の基地局装置。
【請求項３】
前記複数のバックホール回線のいずれかのバックホール回線を介して前記フェムト基地局装置と通信可能な第２フェムト基地局装置の状態に関する第２フェムト基地局情報を取得する第２基地局情報取得部を備え、
前記回線選択部は、前記フェムト基地局の状態に関するフェムト基地局情報及び／又は前記第２フェムト基地局情報に応じて前記複数のバックホール回線の中のいずれかを選択する、
ことを特徴とする請求項１に記載の基地局装置。
【請求項４】
前記回線選択部は、前記第２フェムト基地局情報に応じて前記いずれかのバックホール回線を選択することを特徴とする請求項３に記載の基地局装置。
【請求項５】
前記回線選択部は、前記複数のバックホール回線の中から選択される異なる複数のバックホール回線を選択し、
前記回線選択部が選択した複数のバックホール回線で、同一の移動局装置のトラヒックを並列に伝送することを特徴とする請求項１〜４のいずれか一項に記載の基地局装置。
【請求項６】
異なる複数の無線バックホール回線を経由して前記移動局装置との間でそれぞれ通信を行う複数の第２通信部と、
前記移動局装置の状態に関する移動局情報を取得する移動局情報取得部と、
前記基地局情報及び／又は前記移動局情報に応じて前記複数の無線バックホール回線の中のいずれかを選択する第２回線選択部と、
前記第２回線選択部により選択された無線バックホール回線に前記移動局装置との通信に使用する無線バックホール回線を動的に切り替える第２回線切替部と、
を備えることを特徴とする請求項１に記載の基地局装置。
【請求項７】
前記移動局情報は、前記移動局装置のユーザに関する情報及び前記移動局装置で動作するアプリケーションに関する情報のいずれかを含む請求項６に記載の基地局装置。
【請求項８】
前記第２回線選択部により選択された無線バックホール回線を指定する回線指定情報を前記移動局装置に送信する送信部を備えることを特徴とする請求項６又は７に記載の基地局装置。
【請求項９】
前記第２回線選択部は、前記複数の無線バックホール回線の中から選択される異なる複数の無線バックホール回線を選択し、
前記第２回線選択部が選択した複数の無線バックホール回線により同一の移動局装置と並列に通信を行うことを特徴とする請求項６〜８のいずれか一項に記載の基地局装置。
【請求項１０】
フェムト基地局装置の回線切替方法であって、
固定回線、移動通信無線アクセス方式の無線回線およびアドホック回線を含む複数のバックホール回線を経由して、前記フェムト基地局装置の上位装置及び前記フェムト基地局装置と通信可能な第２フェムト基地局装置との間でそれぞれ通信を行うフェムト基地局装置において、接続中の配下の移動局装置の状態に関する情報と、前記フェムト基地局装置の状態および前記第２フェムト基地局装置の状態に関する基地局情報とを含むフェムトセル情報を取得し、
前記フェムトセル情報に応じて、前記フェムト基地局装置の上位装置との間の異なる複数のバックホール回線の中のいずれかのバックホール回線を選択し、
前記移動局装置のトラヒックの伝送に使用するバックホール回線を、選択された前記いずれかのバックホール回線に、動的に切り替える、
ことを特徴とする回線切替方法。
【国際調査報告】
2014147798.tif 000023
2014147798.tif 000024
2014147798.tif 000025
2014147798.tif 000026
2014147798.tif 000027
2014147798.tif 000028
2014147798.tif 000029